(57)【要約】【課題】ユーザの選択に応じてダウンロードした情報の表示を行わずに印刷を行う。【解決手段】ユーザが操作して指示を入力するためのキー操作部と、情報を表示するための液晶表示部と、公衆通信網を介して所定のサーバにアクセスし、入力手段によって入力された指示に応じて、サーバに格納されている情報をダウンロードする通信手段と、を備えた画像通信装置において、キー操作部によって第１の指示が入力されたときに、ダウンロードした情報を表示手段に表示させ、入力手段によって印刷が指示された情報を印刷データに変換して記録媒体に印刷し、キー操作部によって第２の指示が入力されたときに、ダウンロードした情報を、表示手段に表示させずに印刷データに変換して記録媒体に印刷する。【選択図】　図３Ｃ
2004147224.tif 000002
【特許請求の範囲】
【請求項１】
ユーザが操作して指示を入力するための入力手段と、
情報を表示するための表示手段と、
公衆通信網を介して所定のサーバにアクセスし、前記入力手段によって入力された指示に応じて、前記サーバに格納されている情報をダウンロードする通信手段と、
前記ダウンロードした情報を前記表示手段に表示させる受信データ表示手段と、
前記入力手段によって印刷が指示された情報を印刷データに変換する印刷データ変換手段と、
前記印刷データを記録媒体に印刷する印刷手段と、
前記入力手段によって特定の指示が入力されたときに、前記ダウンロードした情報を、前記表示手段に表示させずに前記印刷手段で印刷するように制御する制御手段と、を備えることを特徴とする画像通信装置。
【請求項２】
前記表示手段に複数の選択項目を含む所定のメニュー画面を表示し、前記入力手段によって選択された選択項目に対応して所定の処理を行うメニュー手段を更に備えていることを特徴とする請求項１に記載の画像通信装置。
【請求項３】
前記受信データ表示手段は、前記ダウンロードした情報に画像ファイルが含まれているとき、その拡張子を参照して前記画像ファイルを変換する画像データ変換手段を含むことを特徴とする請求項１又は２に記載の画像通信装置。
【請求項４】
前記制御手段は、前記特定の指示が入力された後に、特定の操作がなされたときに、前記印刷手段による印刷の前に印刷データの一部を前記表示手段に表示させることを特徴とする請求項１から３のいずれか１項に記載の画像通信装置。
【請求項５】
前記サーバがＷｅｂサーバを含み、前記ダウンロードされる情報がマークアップ言語で記述されていることを特徴とする請求項１から４のいずれか１項に記載の画像通信装置。
【請求項６】
前記サーバがファクシミリサーバを含み、前記ダウンロードされる情報がファクシミリ画像であることを特徴とする請求項１から５のいずれか１項に記載の画像通信装置。
【請求項７】
ユーザが操作して指示を入力するための入力手段と、情報を表示するための表示手段と、公衆通信網を介して所定のサーバにアクセスし、前記入力手段によって入力された指示に応じて、前記サーバに格納されている情報をダウンロードする通信手段と、を備えた画像通信装置における画像情報印刷方法であって、
前記入力手段によって第１の指示が入力されたときに、前記ダウンロードした情報を前記表示手段に表示させ、前記入力手段によって印刷が指示された情報を印刷データに変換して記録媒体に印刷する表示情報印刷工程と、
前記入力手段によって第２の指示が入力されたときに、前記ダウンロードした情報を、前記表示手段に表示させずに印刷データに変換して記録媒体に印刷する非表示情報印刷工程と、を備えることを特徴とする画像情報印刷方法。
【請求項８】
前記表示情報印刷工程は、前記ダウンロードした情報に画像ファイルが含まれているとき、その拡張子を参照して前記画像ファイルを変換する画像データ変換工程を含むことを特徴とする請求項７に記載の画像情報印刷方法。
【請求項９】
前記非表示情報印刷工程は、特定の操作がなされたときに、印刷実行前に印刷データの一部を前記表示手段に表示させるプレビュー工程を含むことを特徴とする請求項７又は８に記載の画像情報印刷方法。
【請求項１０】
前記サーバがＷｅｂサーバを含み、前記ダウンロードされる情報がマークアップ言語で記述されていることを特徴とする請求項７から９のいずれか１項に記載の画像情報印刷方法。
【請求項１１】
前記サーバがファクシミリサーバを含み、前記ダウンロードされる情報がファクシミリ画像であることを特徴とする請求項７から１０のいずれか１項に記載の画像情報印刷方法。
【請求項１２】
請求項７から１１のいずれか１項に記載の画像情報印刷方法をコンピュータに実行させることを特徴とするコンピュータプログラム。
【請求項１３】
請求項１２に記載のコンピュータプログラムを格納したことを特徴とする記憶媒体。
【発明の詳細な説明】
【０００１】
【発明の属する技術分野】
本発明は画像通信装置及び画像情報印刷方法に関し、特に、ユーザが操作して指示を入力するための入力手段と、情報を表示するための表示手段と、公衆通信網を介して所定のサーバにアクセスし、入力手段によって入力された指示に応じて、サーバに格納されている情報をダウンロードする通信手段と、を備えた画像通信装置における画像情報の印刷に関するものである。
【０００２】
【従来の技術】
近年、インターネットの普及が進み、Ｗｅｂ（ＷＷＷ）のデータを閲覧できる機器も、従来はパーソナルコンピュータ（ＰＣ）が主であったが、電話機やファクシミリなどでも所定の規格（例えばＬモード規格）に従ってＷｅｂデータの閲覧が可能な機種が増えてきている。
【０００３】
特に、ファクシミリにおいては、閲覧した情報を印刷することができるというメリットがあり、普及が始まっている。
【０００４】
このようなファクシミリにおいては、表示画面上で特定の操作を行うことにより、ＦＡＸサーバにダイヤルしてＦＡＸデータを受信して印刷することが可能となっている。
【０００５】
また、表示画面上で特定の操作を行うことにより、Ｗｅｂサーバにダイヤルアップ接続してＨＴＭＬなどの言語で記述されたデータやＪＰＥＧ、ＧＩＦなどのフォーマットの画像情報を受信し、それらを印刷することも可能である。
【０００６】
具体的には、受信したデータが表示されている間に印刷キーを押下すると、画像メモリ（ＶＲＡＭ）に格納されている表示データが印刷形式に変換される。受信データがカラー（ＲＧＢ）の画像データである場合、印刷形式に変換する際には、プリンタで使用する４色（ＣＭＹＫ）に色変換を行うことにより印刷データが生成される。変換した印刷データは内蔵されたプリンタに入力されて印刷される。
【０００７】
一方、インターネットから受信したデータを印刷する装置としては、直接インターネットからデータを受信して印刷することにより、ＰＣなどの端末で表示してから印刷処理を行う手間を省くことができるプリンタが知られている（例えば、特許文献１及び特許文献２参照）。
【０００８】
【特許文献１】
特開平１０−０１６３５４号公報
【特許文献２】
特開平１０−１７１６０９号公報
【０００９】
【発明が解決しようとする課題】
しかしながら、ＦＡＸデータを受信する場合には、ＦＡＸ受信のためのモデムが必要となると共に、ＦＡＸ形式になっていないデータはダウンロードすることができない。
【００１０】
一方、Ｗｅｂサーバにダイヤルアップ接続して受信したデータを印刷する場合には、受信したデータを一旦表示してから印刷形式に変換するため、処理時間が長くなるという問題がある。この場合はまた、表示データと印刷データとの両方のデータをメモリに格納する必要があるため、大容量のメモリが必要となるという問題も生じる。
【００１１】
また、上記特許文献１及び２に開示されているプリンタにおいては、受信したデータを表示することができないため、印刷する前にデータの内容を確認することができない。従って、印刷する必要があるか否かを判断するためには、ＰＣなどの他の装置を接続して閲覧する必要がある。
【００１２】
本発明は以上のような状況に鑑みてなされたものであり、ユーザの選択に応じてダウンロードした情報の表示を行わずに印刷を行える、画像通信装置及び画像情報印刷方法を提供することを目的とする。
【００１３】
【課題を解決するための手段】
上記目的を達成する本発明の画像通信装置は、ユーザが操作して指示を入力するための入力手段と、
情報を表示するための表示手段と、
公衆通信網を介して所定のサーバにアクセスし、前記入力手段によって入力された指示に応じて、前記サーバに格納されている情報をダウンロードする通信手段と、
前記ダウンロードした情報を前記表示手段に表示させる受信データ表示手段と、
前記入力手段によって印刷が指示された情報を印刷データに変換する印刷データ変換手段と、
前記印刷データを記録媒体に印刷する印刷手段と、
前記入力手段によって特定の指示が入力されたときに、前記ダウンロードした情報を、前記表示手段に表示させずに前記印刷手段で印刷するように制御する制御手段と、を備えている。
【００１４】
また、上記目的を達成する本発明の画像情報印刷方法は、ユーザが操作して指示を入力するための入力手段と、情報を表示するための表示手段と、公衆通信網を介して所定のサーバにアクセスし、前記入力手段によって入力された指示に応じて、前記サーバに格納されている情報をダウンロードする通信手段と、を備えた画像通信装置における画像情報印刷方法であって、
前記入力手段によって第１の指示が入力されたときに、前記ダウンロードした情報を前記表示手段に表示させ、前記入力手段によって印刷が指示された情報を印刷データに変換して記録媒体に印刷する表示情報印刷工程と、
前記入力手段によって第２の指示が入力されたときに、前記ダウンロードした情報を、前記表示手段に表示させずに印刷データに変換して記録媒体に印刷する非表示情報印刷工程と、を備えている。
【００１５】
更に、上記目的は上記の画像情報印刷方法に対応したコンピュータプログラム及び該プログラムを格納した記憶媒体によっても達成される。
【００１６】
すなわち、本発明では、ユーザが操作して指示を入力するための入力手段と、情報を表示するための表示手段と、公衆通信網を介して所定のサーバにアクセスし、入力手段によって入力された指示に応じて、サーバに格納されている情報をダウンロードする通信手段と、を備えた画像通信装置において、入力手段によって第１の指示が入力されたときに、ダウンロードした情報を表示手段に表示させ、入力手段によって印刷が指示された情報を印刷データに変換して記録媒体に印刷し、入力手段によって第２の指示が入力されたときに、ダウンロードした情報を、表示手段に表示させずに印刷データに変換して記録媒体に印刷する。
【００１７】
このようにすると、ユーザの指示に応じて、ダウンロードした情報を一旦表示させてから印刷するか、表示を行わずに印刷するかが選択されて実行される。
【００１８】
従って、予め内容が想定され、印刷を目的として情報を入手する場合などに、短時間で印刷が行えるので、ユーザにとって利便性が増す。
【００１９】
前記表示手段に複数の選択項目を含む所定のメニュー画面を表示し、入力手段によって選択された選択項目に対応して所定の処理を行うようにすると、ユーザの入力が容易となるので好ましい。
【００２０】
ダウンロードした情報に画像ファイルが含まれているとき、その拡張子を参照して画像ファイルを変換するようにすると、様々な形式の画像ファイルに対応した変換処理が行える。
【００２１】
特定の操作がなされたときに、印刷の前に印刷データの一部を表示手段に表示させるようにすると、ユーザが印刷内容を確認できるので好適である。
【００２２】
サーバがＷｅｂサーバを含み、ダウンロードされる情報がマークアップ言語で記述されていてもよい。
【００２３】
また、サーバがファクシミリサーバを含み、ダウンロードされる情報がファクシミリ画像であってもよい。
【００２４】
【発明の実施の形態】
以下、本発明にかかる一実施形態について添付図面を参照して詳細に説明する。
【００２５】
図１は本発明の実施形態としての画像通信装置を含むシステムの構成を示す図である。同図において、１０１は画像通信装置、１０２は公衆通信網、１０３はＦＡＸサーバ、１０４はＷｅｂサーバである。図示されたように、画像通信装置１０１は、公衆通信網１０２を介して、ＦＡＸサーバ１０３及びＷｅｂサーバ１０４に接続されている。
【００２６】
本実施形態の画像通信装置は、画像データの送受信が可能であり、カラープリンタを内蔵したファクシミリであり、Ｌモード規格に従ってＷｅｂサーバにアクセスして必要な情報をダウンロードできる。
【００２７】
図２は、図１の画像通信装置１０１の内部構成を示すブロック図である。同図において、２０１はＣＰＵであり、ＲＯＭ２０２に格納されたプログラムに従って画像通信装置１０１の制御を行う。２０３はＲＡＭであり、送受信する画像データが格納される。
【００２８】
２０４は回線インターフェイス部であり、ＣＰＵ２０１の制御により公衆通信回線１０２との間での発信／着信制御を行う。
【００２９】
２０５はＦＡＸモデムであり、Ｇ３／Ｇ４等のファクシミリ規格に従って画像データの送受信を行う。画像データの受信時には、受信したファクシミリ信号はＦＡＸモデム２０５において復調され、データバスを経由してＲＡＭ２０３に転送される。
【００３０】
２０６はデータモデムであり、ＴＣＰ／ＩＰやＨＴＴＰなどの所定のプロトコルに従ってＷｅｂデータの送受信を行う。Ｗｅｂデータ受信時には、受信したモデム信号はデータモデム２０６において復調され、データバスを経由してＲＡＭ２０３に転送される。
【００３１】
２０７はアナログ信号切替スイッチであり、ＣＰＵ２０１の制御により、公衆通信回線１０２との接続先をＦＡＸモデムとデータモデムとの間で切り替える。
【００３２】
２０８はＪＰＥＧ伸張処理部であり、ＪＰＥＧ形式の圧縮画像データを受信した時に、伸張処理を行う。また、２０９はＧＩＦ伸張処理部であり、ＧＩＦ形式の圧縮画像データを受信した時に、伸張処理を行う。
【００３３】
２１０はＬＡＢ→ＲＧＢ色空間変換処理部であり、ＬＡＢ色空間で表わされた画像データをＲＧＢ色空間で表わされた画像データに変換する。２１１はＹＣｂＣｒ→ＲＧＢ色空間変換処理部であり、ＹＣｂＣｒ色空間で表わされた画像データをＲＧＢ色空間で表わされた画像データに変換する。２１２はＲＧＢ→ＣＭＹＫ色空間変換処理部であり、ＲＧＢで表わされた画像データをＣＭＹＫで表わされた印刷画像データに変換する。変換の際にはγ変換を施し、印刷時の色が最適となるように調整する。
【００３４】
２１３はセントロニクスインターフェイスであり、印刷する画像データを内蔵するカラープリンタへパラレルで通信するためのインターフェイスである。
【００３５】
２１４はカラー印刷を行うカラープリンタ、２１５はユーザに情報を表示するための液晶表示部、２１６はテンキーと、Ｌモード機能によってＷｅｂへのアクセスを指示するＬボタン、設定を有効とするためのセットキー、液晶表示部に表示されている情報の印刷を指示する印刷キー等の特種用途キーを含むキー操作部である。
【００３６】
図３Ａ、３Ｂ及び３Ｃは、本実施形態においてカラーＦＡＸ画像やＷｅｂ画像の受信及び印刷を行う場合に液晶表示部２１５に表示される画面の例を表した遷移図である。
【００３７】
図４〜図７は、本実施形態においてカラーＦＡＸ画像やＷｅｂ画像の受信及び印刷を行う場合のフローチャートであり、図３Ａの表示画面は図４及び図５における処理、図３Ｂの表示画面は図６において行われる処理、図３Ｃの画面は図７において行われる処理にそれぞれ対応している。
【００３８】
以下、本実施形態の画像通信装置における動作と表示される画面についてこれらの図を参照して説明する。最初に、カラー画像を受信する場合の動作について図３Ａ、図４及び図５を参照して説明する。
【００３９】
ユーザが特に操作を行っていないスタンバイ状態では、スタンバイ画面が表示されている（Ｓ３０１、Ｓ４０１）。キー操作部２１６内のＬボタンが押下されると（Ｓ４０２）、Ｌモード機能の一覧を示すＬトップメニューが表示される（Ｓ３０２、Ｓ４０３）。本実施形態では、Ｌトップメニューとして、電子メールの送受信及び保存したメールの表示を行う「１．Ｌメール」、Ｌモード機能によってＷｅｂへアクセスする「２．Ｌメニュー」、ユーザが登録したＵＲＬへのアクセスを行う「３．マイメニュー」、ダイヤルアップ接続によってインターネットへアクセスする「４．インターネット」、表示した画面を保存する、「５．画面メモ」の５つのメニューがある。
【００４０】
ここで、「３．マイメニュー」を選択してセットキーが押下されると（Ｓ４０４）、Ｌモード機能によってＬモードサーバへの接続を開始する。なお、「２．Ｌメニュー」が選択された際にもＬモードサーバへの接続を行う。また、他のメニューが選択された際の動作は、従来のＬモード対応機と同様であり、ここでは詳述しない。
【００４１】
Ｌモードサーバへの接続を行う際、ＣＰＵ２０１は切替スイッチ２０７を制御して、回線とデータモデム２０６を接続する（Ｓ４０５）。次にＣＰＵ２０１は、回線インターフェイス部２０４を制御して、Ｌモードサーバの電話番号へ発信処理を行う（Ｓ４０６）。回線が接続されて、Ｌモードサーバから送出されるモデムアンサートーンをデータモデム２０６で検出すると（Ｓ４０７）、データモデム２０６ではデータモデム接続手順を開始する（Ｓ４０８）。
【００４２】
データモデム接続手順が終了すると、ＬモードサーバからＨＴＭＬ形式で記述された「マイメニュー」画面のデータを受信する（Ｓ４０９）。ＣＰＵ２０１は受信したＨＴＭＬデータを解析して、液晶表示部２１５に「マイメニュー」画面を表示する（Ｓ３０３、Ｓ４１０）。本実施形態では、マイメニューとして、ユーザが、柏観光案内、乗り換え案内、天気予報、番号案内の４つを登録した場合を例に示している。
【００４３】
ここで、「１．柏観光案内」を選択してセットキーが押下されると（Ｓ４１１）、ＬモードサーバにＨＴＴＰによりデータ要求を行い（Ｓ４１２）、ＨＴＭＬデータを受信すると（Ｓ４１３）、受信したＨＴＭＬデータを解析して表示データに変換して液晶表示部に表示する（Ｓ３０４、Ｓ４１４）。なお、ここではＳ４１１で「１．柏観光案内」が選択された場合についてのみ説明するが、他のメニューが選択された場合の動作も同様であるのは容易に理解できよう。
【００４４】
本例では、ＨＴＭＬデータとして、
2004147224.tif 000003
を受信したことを想定している。
【００４５】
上記のＨＴＭＬデータを受信すると、Ｓ３０４に示すように、液晶表示部２１５には「１．観光案内ダウンロード」、「２．観光案内ＦＡＸサービス」「３．観光案内ダイレクト印刷」と表示される。
【００４６】
ここで、「１．観光案内ダウンロード」を選択してセットキーが押下されると（Ｓ４１５）、ＵＲＬ”ｈｔｔｐ：／／ｗｗｗ．ｘｘｘ．ｃｏ．ｊｐ／ｇｕｉｄｅ．ｈｔｍ”にアクセスし（Ｓ５０１）、そのページに含まれている観光案内画像データをＨＴＭＬ形式で受信（ダウンロード）する（Ｓ５０２）。
【００４７】
ダウンロードが終了したら、画像データの拡張子から、該画像データがＧＩＦ画像であるか否かを判定し（Ｓ５０３）、ＧＩＦ画像と判定されたら、ＧＩＦ伸張処理部２０９においてＧＩＦ画像の伸張処理を行い（Ｓ５０４）、伸張処理した画像データを液晶表示部内の画像メモリ（ＶＲＡＭ）に転送する。ＶＲＡＭに転送された画像データはＬＣＤドライバにより液晶表示部２１５に表示される（Ｓ３０５、Ｓ５０５）。
【００４８】
ここで、キー操作部２１６内の印刷キーが押下されると（Ｓ５０６）、表示されているＧＩＦ画像データを、ＲＧＢ→ＣＭＹＫ色変換処理部２１２において印刷に必要となるＣ（シアン）、Ｍ（マゼンタ）、Ｙ（イエロー）、Ｋ（ブラック）の４色のデータに変換する（Ｓ５０７）。変換されたデータはセントロニクスインターフェイス２１３を経由してカラープリンタ２１４に転送され、印刷が行われる（Ｓ５０８）。このとき、液晶表示部２１５には、Ｓ３０６に示すように「印刷中」と表示される。
【００４９】
Ｓ５０３で、ダウンロードした画像データがＧＩＦ画像でないと判定されたら、画像データがＹＣｂＣｒ色空間で表わされたＪＰＥＧ画像であるか否かを判定する（Ｓ５０９）。ＪＰＥＧ画像であると判定されたら、ＪＰＥＧ伸張処理部２０８においてＪＰＥＧ画像の伸張処理を行う（Ｓ５１０）。続いて、ＹＣｂＣｒ→ＲＧＢ色空間変換部２１１において、ＪＰＥＧ伸張した画像データの色空間変換処理を行い（Ｓ５１１）、変換した画像データを液晶表示部２１５内のＶＲＡＭに転送する。ＶＲＡＭに転送された画像データはＬＣＤドライバにより液晶表示部２１５に表示される（Ｓ３０５、Ｓ５１２）。
【００５０】
ここで、キー操作部２１６内の印刷キーが押下されると（Ｓ５１３）、表示されている変換されたＲＧＢ画像をＲＧＢ→ＣＭＹＫ色変換処理部２１２において印刷に必要となるＣＭＹＫの４色データに変換する（Ｓ５１４）。変換されたデータはセントロニクスインターフェイス２１３を経由してカラープリンタ２１４に転送され、印刷が行われる（Ｓ５１５）。このとき、液晶表示部２１５には、Ｓ３０６に示すように「印刷中」と表示される。
【００５１】
Ｓ５０３及びＳ５０９において、受信した画像データがＧＩＦ、ＪＰＥＧのどちらの画像でもないと判定された場合には、本実施形態の画像通信装置では表示することができないため、「画像エラー」と表示を行い（Ｓ５１６）、スタンバイ画面に戻る。
【００５２】
次に、本実施形態においてＦＡＸ画像を受信する場合の動作について、図３Ｂ及び図６を参照して説明する。
【００５３】
図４のＳ４１５において１が選択されておらず、Ｓ４１６でＳ３０７に示すように「２．観光案内ＦＡＸサービス」が選択されてセットキーが押下された場合、Ｓ３０８に示すように「０３―１２３４−５６７８に発信します」のように発信番号を表示して（Ｓ６０１）、Ｌモードサーバとの接続を切断する（Ｓ６０２）。なお、０３―１２３４−５６７８という番号は、ＨＴＭＬのタグに記載されているＦＡＸ番号に相当する。
【００５４】
Ｌモードサーバとの接続を切断してから一定時間が経過するまで待機して（Ｓ６０３）、ＣＰＵ２０１は切替スイッチ２０７を切り替えて、回線とＦＡＸモデム２０５を接続する（Ｓ６０４）。続いて、ＣＰＵ２０１は回線インターフェイス部２０４を制御して、上記ＦＡＸ番号に対して発信処理を行う（Ｓ６０５）。
【００５５】
回線が接続されてＦＡＸサーバからの応答信号が検出されると（Ｓ６０６）、ＦＡＸモデム２０５はＣＥＤ信号を送出し（Ｓ６０７）、カラーＦＡＸ画像データのポーリング受信を開始して、液晶表示部２１５に「ＦＡＸを受信します」と表示する（Ｓ３０９、Ｓ６０８）。受信したＦＡＸモデム信号をＦＡＸモデム２０５において復調し、受信したＦＡＸ画像データは順次ＲＡＭ２０３に格納される。ＦＡＸサーバから全ての画像データを受信して、ＲＡＭ２０３への格納が終了すると（Ｓ６０９）、ＣＰＵ２０１は回線インターフェイス部２０４を制御して、回線切断処理を行う（Ｓ６１０）。
【００５６】
続いて、受信したカラーＦＡＸ画像を表示する処理に移行する。カラーＦＡＸ画像データはＬＡＢ色空間で表わされたＪＰＥＧ形式の圧縮データであるので、ＪＰＥＧ伸張処理部２０８においてＪＰＥＧ画像の伸張処理を行う（Ｓ６１１）。続いて、ＬＡＢ→ＲＧＢ色空間変換部２１１において、ＪＰＥＧ伸張した画像データの色空間変換処理を行い（Ｓ６１２）、変換した画像データを液晶表示部２１５に表示する（Ｓ３１０、Ｓ６１３）。
【００５７】
ここで、キー操作部２１６内の印刷キーが押下されると（Ｓ６１４）、表示されている変換されたＲＧＢ画像を、ＲＧＢ→ＣＭＹＫ色変換処理部２１２において印刷に必要となるＣＭＹＫの４色データに変換する（Ｓ６１５）。変換されたデータはセントロニクスインターフェイス２１３を経由してカラープリンタ２１４に転送され、印刷が行われる（Ｓ６１６）。このとき、液晶表示部２１５には、Ｓ３１１に示すように「印刷中」と表示される。
【００５８】
次に、本実施形態において、受信したカラー画像を表示せずに印刷が可能な処理（ダイレクト印刷）を行う場合の動作について、図３Ｃ及び図７を参照して説明する。
【００５９】
図４の４１５において１が選択されておらず、かつＳ４１６において２が選択されておらず、Ｓ３１２に示すように「３．観光案内ダイレクト印刷」が選択されてセットキーが押下されると、本実施形態では、アクセスするＵＲＬ、例えば、”ｈｔｔｐ：／／ｗｗｗ．ｘｘｘ．ｃｏ．ｊｐ／ｇｕｉｄｅ．ｈｔｍ”が記されているＨＴＭＬのタグの先頭に”ｐｒｉｎｔ：”という文字列を挿入し、これにより後の処理において、表示を行わずに印刷が可能な処理である「ダイレクト印刷」の処理を行うことを認識する。
【００６０】
そして液晶表示部２１５に「印刷プレビューしますか？はい／いいえ」と表示を行い、ユーザに選択を要求する（Ｓ７０１）。「はい」（Ｓ３１３）または「いいえ」（Ｓ３１６）が選択されると、ＨＴＴＰにより”ｐｒｉｎｔ：”に続くＵＲＬ”ｈｔｔｐ：／／ｗｗｗ．ｘｘｘ．ｃｏ．ｊｐ／ｇｕｉｄｅ．ｈｔｍ”にアクセスしてデータを要求する（Ｓ７０２）。これに応じて、ダウンロードされる観光案内の画像データを受信する（Ｓ７０３）。
【００６１】
ダウンロードされた画像データの拡張子から、該画像データがＧＩＦ画像であるか否かを判定し（Ｓ７０４）、ＧＩＦ画像であると判定された場合には、ＧＩＦ伸張処理部２０９においてＧＩＦ画像の伸張処理を行い（Ｓ７０５）、伸張処理した画像データをＲＡＭに格納する。ＲＡＭに格納した画像データはＲＧＢ→ＣＭＹＫ色変換処理部２１２において印刷に必要となるＣ（シアン）、Ｍ（マゼンタ）、Ｙ（イエロー）、Ｋ（ブラック）の４色データに変換する（Ｓ７０６）。
【００６２】
ここで、Ｓ７０１において「はい」が選択、すなわち、印刷プレビューすることが選択されていたか否かを判定し（Ｓ７０７）、Ｓ３１３に示すように、印刷プレビューが選択されていた場合には、変換した印刷データの４色の中で、もっとも印刷箇所の多い色データを解像度変換して液晶表示部２１５に表示する（Ｓ７０８）。
【００６３】
このように、本実施形態では、印刷用データを利用して表示することにより、表示用データを生成する処理時間と、表示用データを格納するメモリを削減することが可能になるという利点が生じる。
【００６４】
表示に続いて、Ｓ３１４に示すように「印刷しますか？はい／いいえ」と表示してユーザの選択を待つ。「はい」が選択されたか否かを判定し（Ｓ７０９）、「はい」、すなわち、印刷することが選択された場合、変換されたデータをセントロニクスインターフェイス２１３を経由してカラープリンタ２１４に転送し、印刷を行う（Ｓ７１０）。このとき、液晶表示部２１５には、Ｓ３１５に示すように「印刷中」と表示される。Ｓ７０９で「いいえ」、すなわち印刷しないことが選択された場合、「印刷を中止しました」と表示して、印刷データを廃棄して印刷を中止する（Ｓ７１１）。
【００６５】
一方、Ｓ７０７で、Ｓ７０１において「いいえ」、すなわち、Ｓ３１６に示すように、印刷プレビューを行わないことが選択されたと判定された場合には、表示を行わずに、変換されたデータをセントロニクスインターフェイス２１３を経由してカラープリンタ２１４に転送し、印刷を行う（Ｓ７１０）。このとき、液晶表示部２１５には、Ｓ３１７に示すように「印刷中」と表示される。
【００６６】
また、Ｓ７０４で、ダウンロードされた画像データがＧＩＦ画像でないと判定されると、ＹＣｂＣｒ色空間で表わされたＪＰＥＧ画像であるか否かが判定される（Ｓ７１２）、ＹＣｂＣｒ−ＪＰＥＧ画像であると判定された場合、ＪＰＥＧ伸張処理部２０８においてＪＰＥＧ画像の伸張処理を行う（Ｓ７１３）。続いて、ＹＣｂＣｒ→ＲＧＢ色空間変換部２１１において、ＪＰＥＧ伸張した画像データの色空間変換処理を行い（Ｓ７１４）、変換した画像データをＲＡＭに格納する。ＲＡＭに格納した画像データはＲＧＢ→ＣＭＹＫ色変換処理部２１２において印刷に必要となるＣ、Ｍ、Ｙ、Ｋの４色データに変換する（Ｓ７１５）。印刷データに変換した後の処理については、ＧＩＦ画像に関して説明したのと同様であるので、詳細な説明は省略する。
【００６７】
以上説明したように本実施形態によれば、印刷を目的としてアクセスする場合には、ダウンロードした画像の表示を行わないで印刷することを可能とし、これにより、短い処理時間で印刷を行うことが可能となる。
【００６８】
＜他の実施の形態＞
上記の実施形態においては、タグに特定の文字列があるのを認識して、印刷を目的としたデータの取得（ダウンロード）を行うものであった。しかしながら、このような印刷を目的としたデータの取得を、予め設定した特定のキーを押下することによって認識させることも可能である。
【００６９】
この場合、例えば、特定のキーが押下された直後にアクセスするＵＲＬからダウンロードするデータは印刷を目的としているものと認識し、ダウンロードした画像の表示を行わずに印刷を可能とすることが考えられる。
【００７０】
また、上記の実施形態においては、タグに”ｐｒｉｎｔ”という文字列が含まれていることによってダイレクト印刷を行うことを認識していた。しかしながら、ダイレクト印刷を認識させるための文字列は他のどのような文字列であってもよいのはもちろんである。
【００７１】
更に、上記の実施形態においては、日本でサービスが提供されているＬモードサービスを利用することを想定しているが、このサービスを利用しない場合でも、Ｗｅｂから画像を受信する機能と、画像を印刷する機能とを有する画像通信装置であれば同様の効果を得ることが可能である。
【００７２】
本発明は、複数の機器から構成されるシステムに適用しても良いし、また、一つの機器からなる装置に適用しても良い。
【００７３】
なお、本発明は、前述した実施形態の機能を実現するソフトウェアのプログラム（本実施形態では図４、図５、図６及び図７に示すフローチャートに対応したプログラム）を、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００７４】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００７５】
その場合、プログラムの機能を有していれば、オブジェクトコード、インタプリタにより実行されるプログラム、ＯＳに供給するスクリプトデータ等、プログラムの形態を問わない。
【００７６】
プログラムを供給するための記録媒体としては、例えば、フロッピーディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７７】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の範囲に含まれるものである。
【００７８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００７９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００８０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００８１】
【発明の効果】
以上説明したように本発明によれば、ユーザの指示に応じて、ダウンロードした情報を一旦表示させてから印刷するか、表示を行わずに印刷するかが選択されて実行される。
【００８２】
従って、予め内容が想定され、印刷を目的として情報を入手する場合などに、短時間で印刷が行えるので、ユーザにとって利便性が増す。
【図面の簡単な説明】
【図１】本発明の実施形態としての画像通信装置を含むシステムの構成を示す図である。
【図２】図１の画像通信装置の内部構成を示すブロック図である。
【図３Ａ】、
【図３Ｂ】、
【図３Ｃ】本発明の実施形態の画像通信装置で、画像データを受信して印刷する際に表示される画面の遷移図である。
【図４】、
【図５】、
【図６】、
【図７】本発明の実施形態の画像通信装置で、画像データを受信して印刷する際の動作を示すフローチャートである。
【符号の説明】
１０１　画像通信装置
１０２　ＦＡＸサーバ
１０３　Ｗｅｂサーバ
２０１　ＣＰＵ
２０５　ＦＡＸモデム
２０６　データモデム
２０８　ＪＰＥＧ伸張処理部
２０９　ＧＩＦ伸張処理部
２１０　ＬＡＢ→ＲＧＢ色空間変換処理部
２１１　ＹＣｂＣｒ→ＲＧＢ色空間変換処理部
２１２　ＲＧＢ→ＣＭＹＫ色空間変換処理部
２１５　液晶表示部
【図１】
2004147224.tif 000004
【図２】
2004147224.tif 000005
【図３Ａ】
2004147224.tif 000006
【図３Ｂ】
2004147224.tif 000007
【図３Ｃ】
2004147224.tif 000008
【図４】
2004147224.tif 000009
【図５】
2004147224.tif 000010
【図６】
2004147224.tif 000011
【図７】
2004147224.tif 000012